(57)【要約】【課題】収納寸法を小さくすることができるチェンソーを提供する。【解決手段】駆動部を収容するケーシングと、該ケーシングに前部に構成されたガイドバーと、ガイドバーの外周に沿って周回するソーチェンと、ケーシングの前部と背向する後部に構成されたハンドル部と、駆動部に電力を供給する電源コードと、を備え、前記電源コードは、ケーシングの後部よりもさらに後方で、かつ、ハンドル部の底部よりもさらに下方の領域から延びている。【選択図】図２
2019209581.tif 000002
【特許請求の範囲】
【請求項１】
駆動部を収容するケーシングと、
該ケーシングの前部に構成されたガイドバーと、
前記ガイドバーの外周に沿って周回するソーチェンと、
前記ケーシングの前部と背向する後部に構成されたハンドル部と、
前記駆動部に電力を供給する電源コードと、を備え、
前記電源コードは、前記ケーシングの後部よりもさらに後方で、かつ、前記ハンドル部の底部よりもさらに下方の領域から延びていることを特徴とするチェンソー。
【請求項２】
前記電源コードを保持するコードホルダーを備え、前記コードホルダーの後端が前記ハンドル部の後端よりも前方に位置していることを特徴とする請求項１に記載のチェンソー。
【請求項３】
前記電源コードを保持するコードホルダーを備え、前記コードホルダーが前記ケーシングの後端から後方に延びて前記ハンドル部の底部よりも下方に位置し、かつ、前記コードホルダーの後端が前記ハンドル部の後端よりも前方に位置していることを特徴とする請求項１に記載のチェンソー。
【請求項４】
前記ハンドル部の後端にチェンソーを前方側へ押すための面を備えていることを特徴とする請求項１〜３のうちのいずれか１項に記載のチェンソー。
【発明の詳細な説明】
【技術分野】
【０００１】
本発明は、ソーチェンを回転させる駆動部に電力を供給するための電源コードを備えたチェンソーに関する。
【背景技術】
【０００２】
かかるチェンソーは、駆動部を収容するケーシングと、ケーシングの前部に構成されたガイドバーと、ガイドバーの外周に沿って周回するソーチェンと、ケーシングの前部と背向する後部構成されたハンドル部と、駆動部に電力を供給する電源コードと、を備えている。そして、前記電源コードが、ハンドル部の後端から後方に突出するように設けられている。
【先行技術文献】
【特許文献】
【０００３】
【特許文献１】特許第５４７６９８６号公報
【発明の概要】
【発明が解決しようとする課題】
【０００４】
上記特許文献１では、電源コードが、ハンドル部の後端から後方に突出しているため、チェンソーの前後寸法が大きくなってしまい、収納寸法が大きくなるという不都合があった。
【０００５】
本発明が前述の状況に鑑み、解決しようとするところは、収納寸法を小さくすることができるチェンソーを提供することにある。
【課題を解決するための手段】
【０００６】
本発明のチェンソーは、前述の課題解決のために、駆動部を収容するケーシングと、該ケーシングの前部に構成されたガイドバーと、前記ガイドバーの外周に沿って周回するソーチェンと、前記ケーシングの前部と背向する後部に構成されたハンドル部と、前記駆動部に電力を供給する電源コードと、を備え、前記電源コードは、前記ケーシングの後部よりもさらに後方で、かつ、前記ハンドル部の底部よりもさらに下方の領域から延びていることを特徴としている。
【０００７】
上記構成によれば、電源コードが、ケーシングの後部よりもさらに後方で、かつ、ハンドル部の底部よりもさらに下方の領域から延びることによって、電源コードが、ハンドル部の後端から後方に延びる構成に比べて、チェンソーの前後寸法を小さく抑えることができる。
【０００８】
また、本発明のチェンソーは、前記電源コードを保持するコードホルダーを備え、前記コードホルダーの後端が前記ハンドル部の後端よりも前方に位置していてもよい。
【０００９】
上記構成によれば、コードホルダーの後端がハンドル部の後端から後方へ飛び出ないため、電源コードが作業の邪魔になることがない。
【００１０】
また、本発明のチェンソーは、前記電源コードを保持するコードホルダーを備え、前記コードホルダーが前記ケーシングの後端から後方に延びて前記ハンドル部の底部よりも下方に位置し、かつ、前記コードホルダーの後端が前記ハンドル部の後端よりも前方に位置していてもよい。
【００１１】
上記構成によれば、コードホルダーがハンドル部の底部よりも下方に位置することによって、切断作業中にコードホルダーに他物が当接することをハンドル部で抑制することができる。また、コードホルダーの後端がハンドル部の後端から後方へ飛び出ないため、電源コードが作業の邪魔になることがない。
【００１２】
また、本発明のチェンソーは、前記ハンドル部の後端にチェンソーを前方側へ押すための面を備えていてもよい。
【００１３】
上記構成によれば、ハンドル部の後端に備えた面を手で押すことによって、チェンソーを前方側へ押すことができ、使用者に負荷のかかる切断作業が有利になる。
【発明の効果】
【００１４】
本発明によれば、チェンソーの前後寸法を小さく抑えることができる。
【図面の簡単な説明】
【００１５】
【図１】本発明のチェンソーの側面図である。
【図２】コードホルダーの取付部を示す側面図である。
【図３】同チェンソーの底面図である。
【図４】同チェンソーの後面図である。
【図５】同チェンソーの正面図である。
【図６】同チェンソーの斜視図である。
【図７】同チェンソーに両手を添えた状態の斜視図である。
【図８】他の第１実施形態のチェンソーの側面図である。
【図９】他の第１実施形態のチェンソーの後面図である。
【図１０】他の第２実施形態のチェンソーの側面図である。
【図１１】他の第２実施形態のチェンソーの底面図である。
【図１２】他の第２実施形態のチェンソーの後面図である。
【発明を実施するための形態】
【００１６】
以下、本発明のチェンソーを、図面を参照しながら説明する。なお、チェンソー１の前後方向及び左右方向は、図３に示す方向であると設定して以下において説明する。
【００１７】
図１〜図７に、手持ち式のチェンソー１を示している。このチェンソー１は、駆動部である電動モータ（図示せず）を収容するケーシング２と、ケーシング２の前側部の左側面から左側方に突出するフロントハンドル３と、ケーシング２の前端の左側面から左側方に突出するハンドガード４と、ケーシング２の後部２Ｃから後方に突出するメインハンドル（ハンドル部）５と、ケーシング２の右側面の前側部から前方に突出するガイドバー６と、ガイドバー６に巻回されるソーチェン７と、電動モータに電力を供給するための電源コード８とを備えている。
【００１８】
ガイドバー６は、金属からなり、その外周をソーチェン７が接触しながら周回する。ガイドバー６の外周には、ガイド溝（図示せず）が形成されており、このガイド溝にソーチェン７を構成するドライブリンク（図示せず）が入り込んで移動案内される。
【００１９】
ケーシング２におけるガイドバー６の直後方に、駆動モータからの駆動力を受けて駆動される駆動スプロケット９を備え、この駆動スプロケット９にソーチェン７が巻き付けられ（図３ではソーチェン７を省略している）、駆動スプロケット９の駆動によりソーチェン７が回転する。なお、駆動スプロケット９及びガイドバー６の基端部（後端部）の右側部は、保護カバー１０で覆われている。
【００２０】
ケーシング２は、電動モータを主として収容する第１ケーシング部２Ａと、電動モータから駆動スプロケット９へ動力伝達する動力伝達機構（図示せず）を主として収容する第２ケーシング部２Ｂとを備えている。第２ケーシング部２Ｂは、第１ケーシング部２Ａよりも大きな寸法に構成されている。また、第１ケーシング部２Ａは、第２ケーシング部２Ｂの後部側の左側面から左側方に突出するように配置されている。
【００２１】
フロントハンドル３は、図６に示すように、第２ケーシング部２Ｂの上端部でかつ前端部の左側面から左側方に延びる第１ハンドル部３Ａと、第１ハンドル部３Ａの左端から下方に延びると共に下側ほど後方に位置する傾斜姿勢の第２ハンドル部３Ｂとを備えている。第２ハンドル部３Ｂの下端は、第１ケーシング部２Ａの左端部の上端部に一体化されている。
【００２２】
ハンドガード４は、図５及び図６に示すように、板状で略矩形状に構成され、ケーシングの前端の左側面にビス止めされている。また、ハンドガード４の上半分には、横長状の第１開口４Ａが形成されている。また、ハンドガード４の下半分には、縦長状の第２開口４Ｂが左端部に形成され、第２開口４Ｂよりも小さな横長状の第３開口４Ｃが左右中央でかつ上端部に形成され、第２開口４Ｂよりも小さな略正方形状の第４開口４Ｄが右端部でかつ下端部に形成されているが、開口の個数及び形成位置あるいは形状は、自由に変更可能である。
【００２３】
また、ハンドガード４の後面の下部に、付属工具であるＬ型六角棒レンチ１１を保持する保持部１２を備えている。保持部１２は、上方からＬ型六角棒レンチ１１の短軸側部分１１Ａを挿し込んで係合可能なリング状の係合部１２Ａと、この係合部１２Ａに短軸側部分１１Ａを係合した状態でＬ型六角棒レンチ１１を短軸側部分１１Ａの軸回りで回転させることによりＬ型六角棒レンチ１１の長軸側部分１１Ｂを係合させるための上下一対の係合片１２Ｂ，１２Ｂとを備えている。
【００２４】
前記のように、ハンドガード４の後面に、Ｌ型六角棒レンチ１１を取り付けることによって、チェンソー１による切断作業時やチェンソー１を運搬する時において視認性がよく、付属工具（ここでは、Ｌ型六角棒レンチ１１であるが、他の工具であってもよい）の紛失を防止することができる効果がある。また、ハンドガード４の後面に備えた付属工具をハンドガード４の開口４Ｂ，４Ｃ，４Ｄ（ここでは３つであるが、１つ又は２つあるいは４つ以上でもよい）を通してチェンソー１の前側からも視認することができる（図５参照）ので、付属工具の紛失を防止する効果がより高まる。なお、付属工具は、保護カバー１０を着脱する場合やソーチェン７のテンション調整に用いているが、その他の目的で用いてもよい。
【００２５】
メインハンドル５は、第２ケーシング部２Ｂの上端部の後部から後方に延びるグリップ部５Ａと、グリップ部５Ａの強度を上げるための支持部５Ｂとを備えている。支持部５Ｂは、グリップ部５Ａの後端から下方に延びる第１支持部５ｂと、第１支持部５ｂの下端から前方側に延びて第２ケーシング部２Ｂの下側の後端に一体化される第２支持部５ｃとを備えている。
【００２６】
第１支持部５ｂは、下方側ほど前方に位置する傾斜姿勢に構成されており、垂直姿勢に構成する場合に比べて、メインハンドル５の軽量化を図ることができる。この第１支持部５ｂの後端には、チェンソー１を前方側へ押すための面１３が形成されている。この面１３を手で押すことによって、チェンソー１を前方側へ押すことができ、使用者に負荷のかかる切断作業が有利になる。
【００２７】
第２支持部５ｃの右側面には、前後方向略全域に渡って右側方に突出する前後方向に長い板状の手指ガード部１４が一体形成されている。手指ガード部１４の後端部は、第１支持部５ｂに沿って斜め上方へ少しだけ延びている（図２参照）。
【００２８】
第２ケーシング部２Ｂの上端には、使用者が指を乗せることができる第1支持部１５及び第２支持部１６を備えている（図６参照）。第１支持部１５は、第２ケーシング部２Ｂの上端の後端部、つまりメインハンドル５の前方に形成されている。この第１支持部１５は、後側ほど上方に位置する後上がり傾斜面に形成されており、メインハンドル５を把持する右手の親指を乗せることができる（図７参照）。第２支持部１６は、第１ケーシング部２Ａの上端の前端部、つまりフロントハンドル３の右側方でかつ前側の位置に形成されている。この第２支持部１６は、前側ほど下方に僅かに傾斜する前下がり傾斜面に形成されており、フロントハンドル３を把持する左手の親指を乗せることができる（図７参照）。第２支持部１６は、第１支持部１５の前側に位置している。このように、２つの支持部１５，１６のそれぞれに２つのハンドル３，５を握った手の親指を乗せることで、２つのハンドル３，５を握った手が安定して把持することができるため、チェンソー１による切断作業が容易になる。なお、第２支持部１６の前端には、上方に立ち上がる壁部１６Ａが形成され、第２支持部１６に乗せた左手の親指が壁部１６Ａに引っかかることで前方側に移動することを防止できる。
【００２９】
電源コード８は、ケーシング２の後部２Ｃよりも後側で、かつ、メインハンドル５の底部５Ｃよりも底側（下側）の領域Ｒ（図２及び図３参照）から延びている。具体的には、電源コード８が装置内部をケーシング２の後部２Ｃまで引き回され、電源コード８を保持するコードホルダー１７を介して前記領域Ｒから突出している。コードホルダー１７は、ケーシング２の後端２Ｚから後方に延びるとともにメインハンドル５の底部５Ｃよりも底側に位置し、かつ、コードホルダー１７の後端１７Ｔがメインハンドル５の後端５Ｚよりも前方に位置している（図１参照）。詳述すれば、コードホルダー１７は、メインハンドル５の底部５Ｃの直下方で、かつ、メインハンドル５の左右方向略中央部に位置して後方に直線的に延びている。なお、コードホルダー１７は、電源コード８に比べて硬い材料で構成され、外径が後端側ほど小さくなる略円筒状に構成されている。このように構成することによりコードホルダー１７で電源コード８が保持されるようになっている。また、コードホルダー１７の前端には、一回り大きな外径を有する段部１７Ａ（図２参照）を備えている。その段部１７Ａがケーシング２の後端２Ｚから後方に突出している半割構成の突出部１８（図２及び図３参照）に挟み込まれることで、コードホルダー１７の前後方向への移動が阻止される。すなわち、コードホルダー１７は、突出部１８から後方に向けて延出している。
【００３０】
このように、電源コード８が、ケーシング２の後部２Ｃよりも後側で、かつ、メインハンドル５の底部５Ｃよりも底側の領域Ｒから延びることによって、電源コード８が、メインハンドル５の後端５Ｚから後方に延びる構成に比べて、チェンソー１の前後寸法を小さく抑えることができる。また、コードホルダー１７がメインハンドル５の底部５Ｃよりも底側に位置することによって、切断作業中にコードホルダー１７に他物が当接することをメインハンドル５で抑制することができる。また、コードホルダー１７の後端１７Ｔがメインハンドル５の後端５Ｚから後方へ飛び出ないため、電源コード８が邪魔になることがない。
【００３１】
尚、本発明は、前記実施形態に限定されるものではなく、本発明の要旨を逸脱しない範囲で種々の変更が可能である。
【００３２】
前記実施形態では、コードホルダー１７を、ケーシング２の後端２Ｚから後方に延びるように設けたが、ケーシング２の後端２Ｚよりも少し前側に位置する後部２Ｃから後方に延びるように設けてもよい。また、コードホルダー１７を、図８及び図９に示すように設けてもよいし、また、図１０〜図１２に示すように、設けて実施してもよい。なお、コードホルダー１７以外の部分は、図１〜図７と同一の構成である。図８及び図９では、コードホルダー１７を、メインハンドル５の底部５Ｃに下方に突出するように一体形成された半割構成の突出部１９から下方に真っ直ぐ延びるように設けている。この場合も、電源コード８が、ケーシング２の後部２Ｃよりも後側で、かつ、メインハンドル５の底部５Ｃよりも底側の領域Ｒから延びるように構成されている。図８では、コードホルダー１７を、メインハンドル５の底部５Ｃの後端から下方に延びるように設けているが、メインハンドル５の底部５Ｃの前端部又は前後方向中間部から延びるように設けてもよい。図１０〜図１２では、メインハンドル５の底部５Ｃの下方まで引き回した電源コード（図示せず）を保持するコードホルダー１７を、メインハンドル５の底部５Ｃから下方に突出する突出部２０の左側面から左側方へ延びるように設けている。この場合も、電源コード８が、ケーシング２の後部２Ｃよりも後側で、かつ、メインハンドル５の底部５Ｃよりも底側の領域Ｒから延びるように構成されている。図１０〜図１２では、コードホルダー１７を左右方向に沿った姿勢にしているが、左右方向と交差する方向に延びる姿勢にしてもよい。
【００３３】
また、前記実施形態では、フロントハンドル３とメインハンドル５とを設けているが、フロントハンドル３を省略してもよい。
【符号の説明】
【００３４】
１…チェンソー、２…ケーシング、２Ａ…第１ケーシング部、２Ｂ…第２ケーシング部、２Ｃ…後部、２Ｚ…後端、３…フロントハンドル、３Ａ…第１ハンドル部、３Ｂ…第２ハンドル部、４…ハンドガード、４Ａ…第１開口、４Ｂ…第２開口、４Ｃ…第３開口、４Ｄ…第４開口、５…メインハンドル（ハンドル部）、５Ａ…グリップ部、５Ｂ…支持部、５Ｃ…底部、５ｂ…第１支持部、５ｃ…第２支持部、５Ｚ…後端、６…ガイドバー、７…ソーチェン、８…電源コード、９…駆動スプロケット、１０…保護カバー、１１…Ｌ型六角棒レンチ、１１Ａ…短軸側部分、１１Ｂ…長軸側部分、１２…保持部、１２Ａ…係合部、１２Ｂ…係合片、１３…面、１４…手指ガード部、１５…第１支持部、１６…第２支持部、１６Ａ…壁部、１７…コードホルダー、１７Ａ…段部、１７Ｔ…後端、１８，１９，２０…突出部、Ｒ…領域
【図１】
2019209581.tif 000003
【図２】
2019209581.tif 000004
【図３】
2019209581.tif 000005
【図４】
2019209581.tif 000006
【図５】
2019209581.tif 000007
【図６】
2019209581.tif 000008
【図７】
2019209581.tif 000009
【図８】
2019209581.tif 000010
【図９】
2019209581.tif 000011
【図１０】
2019209581.tif 000012
【図１１】
2019209581.tif 000013
【図１２】
2019209581.tif 000014